(57)【特許請求の範囲】
【請求項１】
｛１００｝面を有するダイヤモンド基板と該基板上に形成したｐ型ダイヤモンド層と該基板に形成した側面｛１１０｝、底面が｛１００｝面を有する段差形状の底角を起点に成長したｎ型ダイヤモンド層とを備える複数の横型ｐｎダイヤモンド半導体素子と該ダイヤモンド半導体素子間を分離するための前記基板に形成した側面｛１００｝、底面｛１００｝面を有する段差形状の底角を起点に成長した絶縁分離領域とを同一基板上に備えるダイヤモンド半導体装置。
【請求項２】
｛１００｝面ダイヤモンド半導体基板に、ｐ型ダイヤモンド層を形成する工程と、底面が｛１００｝面、側面が｛１１０｝面の段差形状を選択的に形成する工程と、該段差形状の底角を起点に不純物をドープしながらダイヤモンドを＜１１１＞方向へエピタキシャル成長させｎ型ダイヤモンド層を形成して複数の横型ｐｎダイヤモンド半導体素子を形成する工程と、
底面｛１００｝、側面｛１００｝面の段差形状を選択的に形成する工程と、該段差形状の底角を起点に不純物をドープしながらダイヤモンドを＜１１０＞方向へエピタキシャル成長させ該ダイヤモンド半導体素子間を分離するための絶縁分離領域を形成させる工程と、
を含むダイヤモンド半導体装置の製造方法。
【請求項３】
前記ｎ型ダイヤモンド層の側面｛１１０｝面と前記絶縁分離領域の側面｛１００｝面は当該段差形状の側面面方位を制御するようにマスクの方向を配置して形成されることを特徴とする請求項２に記載のダイヤモンド半導体装置の製造方法。
【請求項４】
前記不純物は、リンであることを特徴とする請求項２または３のいずれか１項に記載のダイヤモンド半導体装置の製造方法。
【発明の詳細な説明】
【技術分野】
【０００１】
本発明は、横型ｐｎ接合を有するダイヤモンド半導体装置及びその製造方法に関するものである。
【背景技術】
【０００２】
ダイヤモンドは、ワイドバンドギャップであり、熱伝導度が物質の中で最高、化学的安定性も高く、半導体装置への応用研究が遂行されている。ダイヤモンドを用いた半導体デバイスは、高温環境下、宇宙環境下でも安定に動作し、高速、高出力な動作にも耐え得るため、その必要性は高い。また、ダイヤモンドの特異な特徴を生かした深紫外線発光素子、電子放出源など、他の材料で成し得ない高性能な電子デバイスの作製が可能となる。【０００３】
ダイヤモンドは室温で５．４７ｅＶという大きなバンドギャップを持ち、室温以上の高温下でも自由励起子による波長２３５ｎｍの深紫外線を発光することが可能である。また、ＡｌＧａＮといった化合物半導体で困難とされているｐ型ドーピングはもちろんのこと、ダイヤモンドで困難とされてきたｎ型ドーピングについても、近年キャリア移動度の高いものが実現している。これより、ｐｎ接合型、ｐｉｎ接合型などの半導体素子に関する研究開発が進展し、整流比が６桁以上の良好な電気特性を兼ね備えたものが既に報告されている（非特許文献１、２参照）。【０００４】
ダイヤモンド半導体は単元素から構成されていることより、ＡｌＧａＮ系化合物半導体に特有な構造欠陥などの問題がない。さらに、ダイヤモンドは、その機械的、化学的、及び熱的特性（物質中で最高の熱伝導率）に加え、優れた半導体特性や光学特性を兼ね備えている。さらに、室温でも安手に存在できる励起子を発光に用いることで、間接遷移半導体でありながら、直接遷移半導体と同程度の高い内部量子効率を持つ、紫外線発光素子の作製ができることが知られている（特許文献１、非特許文献３参照）。【０００５】
一方で、ダイヤモンド半導体を用いた深紫外線発光素子において、外部量子効率、すなわち光の取り出し効率に関して課題が残されている。これまでの報告によれば、ダイヤモンドを用いた発光素子構造として、図1に示すような積層型（縦型）ｐｎ接合が実施構造として用いられている。（１０）はダイヤモンド基板、（２０）はｐ型半導体領域、（３０）はｎ型半導体領域、（４０）は電極金属をそれぞれ表す。このような縦型ｐｎ接合構造では、電流注入による光は横方向にのみ強く放射されることになり、上方への発光は金属電極により妨げられ、絶対的照度を得ることが極めて困難とされている。一方で、図２に示すように、基板面内方向にｐｎ接合（横型ｐｎ接合）を作製することにより、金属電極に妨げられることなく、上方へ光を取り出すことが容易となる。しかしながら、現状のダイヤモンド半導体合成技術及びドーピング技術では、良好なｐｎ接合界面を有する横型ｐｎ接合素子を製造することは不可能である。【０００６】
一般の半導体合成技術において、特定の場所に半導体を形成する技術や選択成長技術は極めて重要となる。シリコンを代表とする他の半導体材料は、熱拡散法、イオン注入法によるｐ型、ｎ型半導体の合成が可能であり、成長後に選択的に埋め込み半導体領域の形成が可能となっている。このため、縦型ｐｎ接合、横型ｐｎ接合、又は埋め込みドーピング層など、種々のデバイス構造の作製が容易となる。一方で、ダイヤモンド半導体においては、イオン注入した際に発生する欠陥を熱処理により回復させることが困難なこと、注入した不純物が置換位置に取り込まれないことなどから、選択的に半導体領域の作製は、不可能とされている。イオン注入で不純物を注入できたとしても電気的に不純部が活性化しｎ型半導体として振る舞うといった報告例はない。また、製造工程が複雑になることやｐｎ接合界面が粗悪になるといった問題点がある。
【先行技術文献】
【特許文献】
【０００７】
【特許文献１】特開２００８−７８６１１号公報
【非特許文献】
【０００８】
【非特許文献１】S. Koizumi, et. al.: Science 292, 1899 (2001).
【非特許文献２】T. Makino, et. al.: Jpn. J. Appl. Phys. 44, L1190 (2005).
【非特許文献３】T. Makino, et. al.: Jpn. J. Appl. Phys. 45, L1045 (2006).
【発明の開示】
【発明が解決しようとする課題】
【０００９】
本発明は、上記の問題点を解決し、ダイヤモンド半導体装置の製造工程を簡素化するとともに良好なｐｎ接合界面を得ることを課題とする。
【課題を解決するための手段】
【００１０】
上記課題は次のような手段により解決される。
（１）ダイヤモンド基板に形成した段差形状の底角を起点に、選択成長した不純物ドープダイヤモンド領域を有するダイヤモンド半導体装置。
（２）前記ダイヤモンド基板は、不純物ドープダイヤモンド基板であることを特徴とする（１）に記載のダイヤモンド半導体装置。
（３）前記ダイヤモンド基板は、基板上にダイヤモンド膜が形成されていることを特徴とする（１）に記載のダイヤモンド半導体装置。
（４）前記ダイヤモンド基板の主表面は、｛１００｝面であり、前記、段差形状の側面は、｛１１０｝面であり、底面は｛１００｝面であることを特徴とする（１）、（２）又は（３）に記載のダイヤモンド半導体装置。
（５）｛１００｝面を有するダイヤモンド基板と該基板上に形成したｐ型ダイヤモンド層と該基板に形成した側面｛１１０｝、底面が｛１００｝面を有する段差形状の底角を起点に成長したｎ型ダイヤモンド層とを備えるダイヤモンド半導体素子と該ダイヤモンド素子間を分離するため、前記基板に形成した側面｛１００｝、底面｛１００｝面を有する段差形状の底角を起点に成長した分離領域とを備えるダイヤモンド半導体装置。
（６）ｎ型ダイヤモンド層を形成するマスク方向と絶縁分離領域を形成するマスク方向とを異にして、ダイヤモンド半導体領域と絶縁分離領域とを同一基板に形成してなる（５）に記載のダイヤモンド半導体装置。
（７）｛１００｝面ダイヤモンド半導体基板に、底面が｛１００｝面、側面が｛１１０｝面の段差形状を選択的に形成する工程と、不純物をドープしながらダイヤモンドを＜１１１＞方向へエピタキシャル成長させ、該段差形状の底角を起点として不純物ドープダイヤモンド領域を成長させる工程とを含むダイヤモンド半導体装置の製造方法。
（８）前記不純物は、リンであることを特徴とする（７）に記載のダイヤモンド半導体装置の製造方法。
【発明の効果】
【００１１】
半導体領域の選択成長技術は、半導体装置を作製する際に必須であり、その有無によって、半導体装置応用の幅が大きく異なってくる。
本発明のダイヤモンド半導体装置及びその製造方法によれば、ダイヤモンド基板に形成した段差形状の底角を起点に、選択された領域に不純物ドープダイヤモンド半導体を成長させることができる。【００１２】
このため製造工程を簡素化できるだけでなく、ｐｎ接合界面がエピタキシャル成長により形成されるため、良好な界面が得られる。また、例えば、横型ｐｎ接合素子を作製することで、光の取り出し方向を上方に変えることができ、光取り出し効率の改善が期待できる。逆に、紫外線受光素子の場合においても、受光面となるｐｎ接合界面が金属電極などで妨害されないため、その受光効率改善が望める。
この他、横型接合を用いたＪＦＥＴなどパワーデバイスにおいても、電流経路に基板（厚さ５００μｍ前後）を含まない構造が作製できることから、オン抵抗の低減が望める。
【図面の簡単な説明】
【００１３】
【図１】縦型ｐｎ接合半導体装置の構造
【図２】横型ｐｎ接合半導体装置の構造
【図３】横型ｐｎ接合ダイヤモンド半導体装置の構造
【図４】横型ｐｎ接合ダイヤモンド半導体装置の光学顕微鏡像
【図５】横型ｐｎ接合ダイヤモンド半導体装置の概略図（ａ）平面図、（ｂ）Ａ−Ａ’間の断面図
【図６】本発明に係る実施例の工程説明図
【図７】本発明に係る実施例の工程説明図
【図８】本発明に係る実施例の工程説明図
【図９】本発明に係る実施例の工程説明図
【図１０】本発明に係る実施例の工程説明図
【図１１】本発明に係る実施例の工程説明図
【図１２】本発明に係る実施例の工程説明図
【図１３】本発明に係る実施例の工程説明図
【図１４】本発明に係る実施例の工程説明図
【図１５】本発明に係る実施例の工程説明図
【図１６】横型ｐｎ接合ダイヤモンド半導体装置の電流電圧特性
【図１７】横型ｐｎ接合ダイヤモンド半導体装置の電流注入発光特性
【発明を実施するための形態】
【００１４】
本発明の説明図を図３に示す。
本発明は、ダイヤモンド基板（１０）及び（２０）上に、選択的に形成した段差形状の底角を起点に成長した不純物ドープダイヤモンド領域（３０）を有するダイヤモンド半導体装置及びその製造方法に係るものである。
本発明の好ましい実施例では、ダイヤモンド｛１００｝面単結晶基板（１０）にまずボロンドープｐ型ダイヤモンド半導体領域（２０）を形成する。その後に、ｐ型半導体層（２０）を含むダイヤモンド｛１００｝面単結晶基板（１０）を加工し、段差形状を形成する。この形成した段差形状の底角（５０）からダイヤモンド半導体を＜１１１＞方向へ成長させ、かつ不純物ドーピングを同時に行うことで、断面が三角形状のリンドープダイヤモンド領域（３０）を形成する。
ダイヤモンド基板（１０）は、ノンドープ、ボロンドープ、リンドープ、窒素ドープ、ｐ型、ｎ型のいずれかの｛１００｝面基板、又は｛１００｝面成長膜である。選択成長する不純物ドープダイヤモンド領域（３０）は、リンを代表とするＶ族元素、及びその他ｎ型ダイヤモンド半導体ができる不純物元素を有する。
【００１５】
本発明のダイヤモンド半導体基板製造方法は、｛１００｝面ダイヤモンド半導体上の特定の領域に、側面が｛１１０｝面、底面が｛１００｝面で挟まれる段差形状を形成する工程と、不純物をドープしながらダイヤモンドを＜１１１＞方向へエピタキシャル成長させることにより、横型ｐｎ接合を形成する工程を有する。ここで、｛１００｝面基板上で＜１１１＞方向へ成長させる際に、｛１００｝面と｛１１０｝面で交わる底角（５０）が成長の起点となる。
【００１６】
ドープ不純物として、ここではリン元素を例に挙げるが、この取り込み効率は、基板の面方位に強く依存する。｛１１１｝面基板を用いた｛１１１｝面成長の際（＜１１１＞方向への成長）、リンの取り込み効率は０．０２％程度であるのに対して、｛１１０｝面基板を用いた｛１１０｝面成長の際は（＜１１０＞方向への成長）、０．０００２％、｛１００｝面基板を用いた｛１００｝面成長の際は（＜１００＞方向への成長）、０．００００１％未満となる。この成長方向に対する取り込み効率の圧倒的な差を利用することで、選択的に｛１００｝面上の特定領域にｎ型半導体領域を形成可能にした。
なおリンの取り込み効率は、次の数式により算出される。
リンの取り込み効率＝ダイヤモンド中の炭素原子に対するリン原子濃度（［Ｐ］／［Ｃ］）／気相中のメタンに対するホスフィン濃度（［ＰＨ３］／［ＣＨ４］）
【００１７】
本発明の不純物ドープダイヤモンド半導体は、｛１００｝面ダイヤモンド単結晶基板上に形成された段差形状の底角を起点に、選択的に成長することを特徴とする。段差形状側面の面方位を｛１１０｝面にすることで、＜１１１＞方向へエピタキシャル成長させているため、リンの取り込み効率が比較的高く、リン濃度を１０１６ｃｍ−３〜１０２０ｃｍ−３レベルの広い範囲で制御可能となる。一方、段差形状側面の面方位を｛１００｝にすることで、＜１１０＞方向へのエピタキシャル成長が生じ、リン濃度を抑えた領域（絶縁層）の形成が可能となる。つまり、段差形状の側面方向を制御することで、選択的にリンドープｎ型ダイヤモンド半導体領域を形成することも、リン濃度が低い絶縁層を形成することも可能となる。
これら全て、ダイヤモンド半導体を用いたデバイス開発で必須とされている｛１００｝面方位基板上での不純物ドープダイヤモンド半導体合成技術であるため、実用性が極めて高い。
加工する｛１００｝面ダイヤモンド単結晶基板は、高温高圧法により形成された｛１００｝面基板、化学気相成長（ＣＶＤ）法で形成された基板及び成長膜のいずれでもよく、また不純物がドープされた導電性基板上の成長膜でもよい。
【００１８】
なお、上記の選択成長した不純物ドープダイヤモンド領域の識別は、適当な領域を劈開し、ＳＩＭＳ測定又はカソードルミネセンス測定などを用いた面内分布測定により容易に確認することができる。また、横型ｐｎ接合の段差形状又はリンドープｎ型ダイヤモンド半導体領域の断面構造が三角形であることが特徴的となるため、その識別は容易である。
【００１９】
＜実施例＞
以下図４乃至図１７を引用して、本発明の実施例を詳細に説明する。
図６乃至図１５において、それぞれ左図はダイヤモンド半導体装置の平面図、右図はその断面図である。
【００２０】
実際に作製した横型ｐｎ接合を有するダイヤモンド半導体装置の光学顕微鏡写真を図４に、概略図を図５に示す。本装置は、ダイヤモンド基板上（１０）に形成したｐ型ダイヤモンド領域（２０）と段差形状の底角（５０）を起点に成長したｎ型ダイヤモンド領域（３０）と横型ｐｎダイヤモンド半導体素子間を絶縁分離するための成長した分離領域（３１）と金属電極（４０）とコンタクトアシスト領域（６０）から構成されている。コンタクトアシスト領域とは、ｎ型ダイヤモンド半導体領域を拡張するために形成されるｐ型ダイヤモンド半導体領域であり、成長の起点を供給する役割を果たす。電極形成プロセスの精度が上がれば、コンタクトアシスト領域は無くてもよい。
段差形状の底角（５０）を起点に成長したｎ型ダイヤモンド領域（３０）の形成法、及び横型ｐｎダイヤモンド半導体素子間を絶縁分離するための成長した分離領域（３１）の形成法をそれぞれ以下に記す。
【００２１】
段差形状の底角を起点に成長したｎ型ダイヤモンド領域（３０）の形成法である。図６に示すような表面が｛１００｝面を有するダイヤモンド単結晶基板（１０）を用意する。マイクロ波プラズマＣＶＤ装置を使用して、Ｈ２：３９７ｓｃｃｍ、ＣＨ４：１．２ｓｃｃｍ、Ｂ２Ｈ６／Ｈ２ガス＝１００ｐｐｍ：０．６ｓｃｃｍ、圧力：３．２５×１０３Ｐａ、マイクロ波パワー：７５０Ｗ、基板ヒータ温度：８００℃、成長時間２時間の条件で、ボロンドープダイヤモンドの合成を行った。
図７のように、約７００ｎｍ程度の膜厚のボロンドープｐ型ダイヤモンド半導体（２０）を形成した。ホール効果測定から、室温から７００℃付近まで安定してｐ型判定が得られ、温度依存性の傾きからボロンアクセプターの３７０ｍｅＶの活性化エネルギーが見積もられ、｛１００｝面ダイヤモンド単結晶基板上にボロンドープｐ型ダイヤモンド半導体が形成されたことを確認した。
【００２２】
図８に示すように、フォトリソグラフィ法及びリフトオフ法により、｛１００｝面ダイヤモンド単結晶基板の表面の一部にＡｕ／Ｔｉ薄膜マスク（Ａｕ３００ｎｍ／Ｔｉ１０ｎｍ）（４０）を形成した。マスクの方向は以下に述べる段差形状の側面が｛１１０｝面、底面が｛１００｝面となるように配置した。
【００２３】
図８に示すＡｕ／Ｔｉ薄膜マスクをパターニングした｛１００｝面ダイヤモンド単結晶基板を誘導結合プラズマエッチング装置によりエッチングした。エッチングガスの条件は、Ｏ２：９５ｓｃｃｍ、ＣＦ４：２ｓｃｃｍ、ＲＦパワー：３００Ｗ、バイアス：５０Ｗ、圧力：２Ｐａであり、エッチング深さは１μｍである。この時の｛１００｝面ダイヤモンド単結晶基板とＡｕのエッチングの選択比は１：８程度である。その後、熱王水処理（ＨＮＯ３：ＨＣｌ＝１：３、８０℃）、硫酸加水（Ｈ２ＳＯ４：Ｈ２Ｏ２：Ｈ２０＝３：１：１、１２０℃）、熱混酸（ＨＮＯ３：Ｈ２ＳＯ４＝１：３、２４０℃）処理を施し、Ａｕ／Ｔｉマスクを除去した。これにより図９の断面図に示すように、｛１００｝面ダイヤモンド単結晶基板の表層に段差形状が形成された。この側面は｛１１０｝面、底面は｛１００｝である。
【００２４】
マイクロ波プラズマＣＶＤ装置を使用して、Ｈ２：３９８ｓｃｃｍ、ＣＨ４：０．２ｓｃｃｍ、ＰＨ３：０．１ｓｃｃｍ、圧力：９．７５×１０３Ｐａ、マイクロ波パワー：７５０Ｗ、基板ヒータ温度：８００℃、成長時間２時間の条件で、リンドープダイヤモンドの合成を行った。図１０に示すように、段差形状の周囲に、選択的にリンドープダイヤモンド領域（３０）が形成された。この時、リンドープダイヤモンドは段差形状の底角（５０）（｛１１０｝面と｛１００｝面の交わる角）を起点に＜１１１＞方向へ成長している。
【００２５】
図１０に示すように、選択的に形成されたリンドープダイヤモンド半導体層（３０）により、横型ｐｎ接合を有するダイヤモンド半導体素子が形成できる。選択成長されたリンドープダイヤモンド半導体領域（３０）のリン濃度は、ＳＩＭＳ（Ｓｅｃｏｎｄａｒｙ  Ｉｏｎ  Ｍａｓｓ  Ｓｐｅｃｔｒｏｓｃｏｐｙ）測定から、５×１０１９ｃｍ−３程度となった。
【００２６】
この横型ｐｎ接合の電気伝導性を測るために、Ｔｉ（３０ｎｍ）／Ｐｔ（３０ｎｍ）／（Ａｕ１００ｎｍ）の電極を図１１のように蒸着した。その２電極間の電流―電圧特性から明瞭なｐｎ接合に起因する明瞭な整流特性が得られ、その整流比は８桁程度であった。
【００２７】
次に横型ｐｎダイヤモンド半導体素子間を絶縁分離するための成長した分離領域（３１）の形成法を記す。上述の図６に示すような表面が｛１００｝面を有するダイヤモンド単結晶基板（１０）を用意する。マイクロ波プラズマＣＶＤ装置を使用して、Ｈ２：３９７ｓｃｃｍ、ＣＨ４：１．２ｓｃｃｍ、Ｂ２Ｈ６／Ｈ２ガス＝１００ｐｐｍ：０．６ｓｃｃｍ、圧力：３．２５×１０３Ｐａ、マイクロ波パワー：７５０Ｗ、基板ヒータ温度：８００℃、成長時間２時間の条件で、ボロンドープダイヤモンドの合成を行った。図７のように、約７００ｎｍ程度の膜厚のボロンドープｐ型ダイヤモンド半導体（２０）を形成した。ホール効果測定から、室温から７００℃付近まで安定してｐ型判定が得られ、温度依存性の傾きからボロンアクセプターの３７０ｍｅＶの活性化エネルギーが見積もられ、｛１００｝面ダイヤモンド単結晶基板上にボロンドープｐ型ダイヤモンド半導体が形成されたことを確認した。
【００２８】
図１２に示すように、フォトリソグラフィ法及びリフトオフ法により、｛１００｝面ダイヤモンド単結晶基板の表面の一部にＡｕ／Ｔｉ薄膜マスク（Ａｕ３００ｎｍ／Ｔｉ１０ｎｍ）（４０）を形成した。マスクの方向は以下に述べる段差形状の側面が｛１００｝面、底面が｛１００｝面となるように配置した。
【００２９】
図１２に示すＡｕ／Ｔｉ薄膜マスクをパターニングした｛１００｝面ダイヤモンド単結晶基板を誘導結合プラズマエッチング装置によりエッチングした。エッチングガスの条件は、Ｏ２：９５ｓｃｃｍ、ＣＦ４：２ｓｃｃｍ、ＲＦパワー：３００Ｗ、バイアス：５０Ｗ、圧力：２Ｐａであり、エッチング深さは１μｍである。この時の｛１００｝面ダイヤモンド単結晶基板とＡｕのエッチングの選択比は１：８程度である。その後、熱王水処理（ＨＮＯ３：ＨＣｌ＝１：３、８０℃）、硫酸加水（Ｈ２ＳＯ４：Ｈ２Ｏ２：Ｈ２０＝３：１：１、１２０℃）、熱混酸（ＨＮＯ３：Ｈ２ＳＯ４＝１：３、２４０℃）処理を施し、Ａｕ／Ｔｉマスクを除去した。これにより図１３の断面図に示すように、｛１００｝面ダイヤモンド単結晶基板の表層に段差形状が形成された。この側面は｛１００｝面、底面も｛１００｝面である。
【００３０】
マイクロ波プラズマＣＶＤ装置を使用して、Ｈ２：３９８ｓｃｃｍ、ＣＨ４：０．２ｓｃｃｍ、ＰＨ３：０．１ｓｃｃｍ、圧力：９．７５×１０３Ｐａ、マイクロ波パワー：７５０Ｗ、基板ヒータ温度：８００℃、成長時間２時間の条件で、リンドープダイヤモンドの合成を行った。
図１４に示すように、段差形状の周囲に、選択的にリンドープダイヤモンド領域（３１）が形成された。この時、リンドープダイヤモンドは段差形状の底角（５０）（側面｛１００｝面と底面｛１００｝面の交わる角）を起点に＜１１０＞方向へ成長している。
【００３１】
図１４に示すように、選択的に形成されたリンドープダイヤモンド半導体層（３１）により、横型ｐｎ接合が形成できる。選択成長されたリンドープダイヤモンド半導体領域（３１）のリン濃度は、ＳＩＭＳ（Ｓｅｃｏｎｄａｒｙ  Ｉｏｎ  Ｍａｓｓ  Ｓｐｅｃｔｒｏｓｃｏｐｙ）測定から、１×１０１７ｃｍ−３程度となった。成長方向が＜１１０＞方向であるため、リンの取り込み効率が悪い。
【００３２】
この横型ｐｎ接合の電気伝導性を測るために、Ｔｉ（３０ｎｍ）／Ｐｔ（３０ｎｍ）／（Ａｕ１００ｎｍ）の電極を図１５のように蒸着した。その２電極間からは、明瞭な電流―電圧特性が得られず、選択成長した低濃度リンドープ領域が絶縁体であることを確認した。
【００３３】
このように、段差形状の側面面方位を制御することで、導電性のあるリンドープｎ型ダイヤモンド半導体領域と絶縁分離領域とを作り分けることが可能となる。これらの組み合わせにより図５に記す横型ｐｎ接合ダイヤモンド半導体装置が製造できる。
【００３４】
実際にこの横型ｐｎ接合ダイヤモンド半導体装置の動作確認を行ったところ、図１６に記すような綺麗なダイオード特性が得られた。整流比８桁程度、最大電流密度１Ａ／ｃｍ２、逆方向リーク電流もかなり抑えられており、良好な横型ｐｎ接合が形成されていることがわかる。
【００３５】
さらに、図１７に示すように、順方向電圧を３０Ｖ以上に印加し、電流を数μＡ以上にあげると微弱ながら発光を検出することができた。発光が検出されることは、この横型ｐｎ接合素子において両極性のキャリアが電極より注入されていることを示唆している。現状の系において、発光領域が５×０．７μｍ２程度と非常に小さな領域であるため、絶対的な発光強度は弱い。横型ｐｎ接合素子の特徴として集積化が容易なことであり、集積化により発光強度の改善は可能となる。
【００３６】
以上好ましい実施例を説明したが、本発明はこれに限定されないことはいうまでもない。
例えば本発明に係るダイヤモンド半導体基板には、セラミック等の基板上、あるいはダイヤモンド基板上にダイヤモンド膜が形成された基板も含まれる。
また、｛１００｝面等の面方位には、製造上の精度の問題により、オフ面となることもあるが、このオフ面も含まれる。
【００３７】
本発明のダイヤモンド半導体装置は、パワー半導体素子、高周波半導体素子などの半導体装置のみならず、紫外発光デバイス、電子放出源、Ｘ線・粒子線センサー、Ｘ線・粒子位置センサーなど、各種電子デバイスに応用することができる。
【図１】
0005419101.tif 000002
【図２】
0005419101.tif 000003
【図３】
0005419101.tif 000004
【図５】
0005419101.tif 000005
【図６】
0005419101.tif 000006
【図７】
0005419101.tif 000007
【図８】
0005419101.tif 000008
【図９】
0005419101.tif 000009
【図１０】
0005419101.tif 000010
【図１１】
0005419101.tif 000011
【図１２】
0005419101.tif 000012
【図１３】
0005419101.tif 000013
【図１４】
0005419101.tif 000014
【図１５】
0005419101.tif 000015
【図１６】
0005419101.tif 000016
【図１７】
0005419101.tif 000017
【図４】
0005419101.tif 000018